(57)【要約】      （修正有）【課題】ゴルフスイング動画を広告媒体として使用することで、ユーザーに効率的な広告を配信することができる広告配信方法を提供する。【解決手段】広告配信システムにおいて、動画ファイル１をサーバ装置１０に保存する動画ファイル保存工程を備える。サーバ装置１０に広告ファイル２として保存する広告ファイル保存工程を備える。動画ファイル１と広告ファイル２とを合成して合成ファイル３に変換する合成ファイル変換工程を備える。合成ファイル３をユーザーの電子端末２０に送信する合成ファイル送信工程を備える。【選択図】図３
2019087121.tif 000002
【特許請求の範囲】
【請求項１】
ゴルフスイングの動画を広告媒体として使用する広告配信方法であって、
ユーザーのゴルフスイングを撮影した動画ファイルをサーバ装置に保存する動画ファイル保存工程と、
該サーバ装置に予め宣伝用の動画又は画像を広告ファイルとして保存しておく広告ファイル保存工程と、
サーバ装置に保存された動画ファイルの動画に広告ファイルの動画又は画像を合成して合成ファイルに変換する合成ファイル変換工程と、
合成ファイルをユーザーの電子端末に送信する合成ファイル送信工程と、を有し、
ユーザーが電子端末で合成ファイルを再生すると、ユーザーのゴルフスイングの動画と共に、宣伝用の動画又は画像も再生されることを特徴とする広告配信方法。
【請求項２】
前記動画ファイルのゴルフスイングの動画は、複数の方向から撮影した複数の動画が記録され、前記合成ファイルは、前記動画ファイルの複数のゴルフスイングの各動画と、前記広告ファイルの動画又は画像とが交互に再生されるように合成する請求項１記載の広告配信方法。
【請求項３】
前記動画ファイルのゴルフスイングの動画は、標準スピードの標準再生動画と、スローモーションで再生するスロー再生動画とが保存され、前記合成ファイルにおいて、前記動画ファイルの各再生動画の前後に前記広告ファイルの動画又は画像が再生されるように合成する請求項１又は２記載の広告配信方法。
【請求項４】
ゴルフスイングの動画を広告媒体として使用する広告配信システムであって、カメラで撮影したユーザーのスイング動画を記録した動画ファイルと、宣伝用の動画又は画像を記録した広告ファイルとを保存するサーバ装置を備え、
該サーバ装置は、動画ファイルの動画に広告ファイルの動画又は画像を合成して合成ファイルに保存する動画合成手段と、該動画合成手段にて合成された合成ファイルをユーザーの電子端末に送信する合成ファイル送信手段とを備え、
ユーザーが電子端末で合成ファイルを再生すると、ユーザーのゴルフスイングの動画と共に、宣伝用の動画又は画像も再生されるように構成したことを特徴とする広告配信システム。
【請求項５】
前記動画ファイルは、ゴルフ練習場又はゴルフ場に備えられた複数のカメラにて複数の方向から撮影したゴルフスイング動画が記録され、インターネット回線を介して前記サーバ装置に送信されるように構成した請求項４記載の広告配信システム。
【発明の詳細な説明】
【技術分野】
【０００１】
本発明は、一般のゴルフプレーヤーのスイング動画等を広告に利用することで、極めて効率の良い広告配信が可能になる広告配信装置及び広告配信方法に関する。
【背景技術】
【０００２】
従来、動画広告等の配信方法によると、例えばＴＶ番組の前後や間に広告動画を配信する手法が採られている。そのため、宣伝に効果的な動画広告を配信するには、ＴＶ番組の視聴者の好みを予想して配信する必要がある。
【０００３】
ところが、このようなＴＶ番組を使用した宣伝効果は、基本的にＴＶ番組の視聴率によって大きく影響される。また、視聴者が増加したとしても個々の視聴者の好みに適した広告を配信することは不可能であった。
【０００４】
そこで、このようなＴＶ番組の広告配信に替え、個々のユーザーの好みに対応するように、インターネットを使用して広告動画を配信するネット広告が広く行われている。この種の広告は、インターネットのウェブサイトや電子メールを使用して行う広告であり、ネット広告の他、オンライン広告、ウェブ広告などとも称されている。
【０００５】
このネット広告として、例えば、電子メールを使用して商品などの広告を容易に配信することができる広告宣伝方法が特許文献１に示されている。
【０００６】
この広告宣伝方法によると、利用者間のプライベートな電子メールを交換する際に広告動画を付加することで、プライベートな個々の相手に適した広告動画の配信が可能になるというものである。
【０００７】
一方、ゴルフプレーヤー向けの広告活動として、ゴルフ教室等に利用されている動画確認システムがある。このシステムは、生徒のスイング動画等を確認できるようにしたシステムであり、生徒のリピート促進に効果的な宣伝手段として多く採用されている。
【０００８】
例えば、特許文献２に記載されたゴルフスイング記録保存システムは、スイング画像とスイング時における各種計測値とを対比できるようにしたシステムである。仮に、このようなシステムをゴルフ教室に利用すると、生徒が自身のスイング画像を確認しながら練習できるので、ゴルフ教室の周知手段としても効果的な広告宣伝になる。
【先行技術文献】
【特許文献】
【０００９】
【特許文献１】特許第４２８２４４９号公報
【特許文献２】特許第４４３９７７２号公報
【発明の概要】
【発明が解決しようとする課題】
【００１０】
特許文献１の広告宣伝方法は、送信されたメールを電子メール利用者が開いたときに動画広告が配信される方法である。そのため、動画広告の配信はメールを開いた１回限りになる可能性が高い。従来のＴＶ番組の広告は、番組中に何度も繰り返して配信することで宣伝効果を上げることができる。しかしながら、特許文献１の広告宣伝方法では、電子メールを開いたときの１回限りの配信になり易いので、ＴＶ番組のような繰り返しによる宣伝効果を上げることは困難である。
【００１１】
一方、特許文献２のような確認システムをゴルフ教室に使用すると、生徒たちは、自分のスイングを見るために、必ず画像や動画を再生する。しかも、生徒たちの再生回数は１回に限られるものではなく、個人差があるとしても、技術を習得する一環として何度も繰り返して再生されることが予想される。
【００１２】
当発明者は、ゴルフプレーヤーが自身の動画や画像を何度も再生することに注目したもので、広告対象のユーザーをゴルフプレーヤーとし、このユーザーが再生する自身のゴルフスイングの動画等を広告媒体として使用することにより、ゴルフプレーヤーに適した広告を効率良く配信することが可能になる広告配信方法及び広告配信装置の提供を目的とするものである。
【課題を解決するための手段】
【００１３】
上述の目的を達成すべく本発明における第１の手段は、ゴルフスイングの動画を広告媒体として使用する広告配信方法であって、
ユーザーのゴルフスイングを撮影した動画ファイル１をサーバ装置１０に保存する動画ファイル保存工程１００と、
該サーバ装置１０に予め宣伝用の動画又は画像を広告ファイル２として保存しておく広告ファイル保存工程２００と、
サーバ装置１０に保存された動画ファイル１の動画に広告ファイル２の動画又は画像を合成して合成ファイル３に変換する合成ファイル変換工程３００と、
合成ファイル３をユーザーの電子端末２０に送信する合成ファイル送信工程４００と、を有し、
ユーザーが電子端末２０で合成ファイル３を再生すると、ユーザーのゴルフスイングの動画と共に、宣伝用の動画又は画像も再生される広告配信方法にある。
【００１４】
第２の手段において、前記動画ファイル１のゴルフスイングの動画は、複数の方向から撮影した複数の動画が記録され、前記合成ファイル３は、前記動画ファイル１の複数のゴルフスイングの各動画と、前記広告ファイル２の動画又は画像とが交互に再生されるように合成する広告配信方法とする。
【００１５】
第３の手段において、前記動画ファイル１のゴルフスイングの動画は、標準スピードの標準再生動画と、スローモーションで再生するスロー再生動画とが保存され、前記合成ファイル３において、前記動画ファイル１の各再生動画の前後に前記広告ファイル２の動画又は画像が再生されるように合成する広告配信方法とする。
【００１６】
第４の手段は、ゴルフスイングの動画を広告媒体として使用する広告配信システムであって、カメラ４０で撮影したユーザーのスイング動画を記録した動画ファイル１と、宣伝用の動画又は画像を記録した広告ファイル２とを保存するサーバ装置１０を備え、
該サーバ装置１０は、動画ファイル１の動画に広告ファイル２の動画又は画像を合成して合成ファイル３に保存する動画合成手段１０Ａと、該動画合成手段１０Ａにて合成された合成ファイル３をユーザーの電子端末２０に送信する合成ファイル送信手段１０Ｂとを備え、
ユーザーが電子端末２０で合成ファイル３を再生すると、ユーザーのゴルフスイングの動画と共に、宣伝用の動画又は画像も再生されるように構成した広告配信システムにある。
【００１７】
第５の手段において、前記動画ファイル１は、ゴルフ練習場Ｐ又はゴルフ場に備えられた複数のカメラにて複数の方向から撮影したゴルフスイング動画が記録され、インターネット回線３０を介して前記サーバ装置１０に送信されるように構成した広告配信システムである。
【発明の効果】
【００１８】
本発明の請求項１のように、ユーザーが電子端末２０で合成ファイル３を再生すると、ゴルフスイングの動画と共に、宣伝用の動画又は画像も再生されるので、ユーザーに最適な広告を確実に配信することができる。
【００１９】
しかも、動画ファイル１は、ゴルフ場や練習場などで多数のゴルフプレーヤーが使用することが可能であるから、予めゴルフプレーヤーに最適な宣伝用の動画又は画像を準備することが可能であり、多数のユーザーに確実に配信できるものである。
【００２０】
請求項２のように、動画ファイル１のゴルフスイングの動画は、複数の方向から撮影した複数の動画が記録され、合成ファイル３は、動画ファイル１の複数のゴルフスイングの各動画と、広告ファイル２の動画又は画像とが交互に再生されるように合成しているので、ユーザーが合成ファイル３を再生するたびに、動画ファイル１の複数のゴルフスイングの再生に伴って広告の再生回数が増加することになる。この結果、一つの合成ファイル３の再生で、広告が何度も再生されるので、繰り返し効果による有効な広告が可能になる。
【００２１】
請求項３のごとく、動画ファイル１のゴルフスイングの動画は、標準スピードの標準再生動画と、スローモーションで再生するスロー再生動画とが保存され、合成ファイル３において、動画ファイル１の各再生動画の前後に広告ファイル２の動画又は画像が再生されるように合成することで、ユーザーが標準再生動画とスロー再生動画とを再生するごとに、広告の再生回数が増加することになる。
【００２２】
しかも、ユーザーにとって標準再生動画とスロー再生動画との比較は、自身のゴルフスイングを確認する際に重要なデータになる。そのため、動画ファイル１の再生回数は更に多くなることが予想される。この結果、広告用の動画又は画像の再生回数は、合成ファイル３の再生回数に伴って飛躍的に高めることが可能である。
【００２３】
請求項４のように、動画ファイル１と広告ファイル２とを保存するサーバ装置１０を備え、該サーバ装置１０に動画ファイル１と広告ファイル２とを合成して合成ファイル３に保存する動画合成手段１０Ａを構成しているので、合成ファイル３の再生時に、ゴルフスイングの動画と共に、広告用の動画又は画像も再生される。
【００２４】
しかも、サーバ装置１０に動画ファイル１を送信する合成ファイル送信手段１０Ｂを備えているので、複数のゴルフ場やゴルフ練習場からの合成ファイル３を一括して管理することが可能になる。
【００２５】
請求項５のごとく、動画ファイル１は、ゴルフ練習場Ｐ又はゴルフ場に備えられた複数のカメラにて複数の方向から撮影したゴルフスイング動画が記録されるので、ユーザーは、この動画ファイル１の映像により、ゴルフ練習場Ｐ又はゴルフ場でのスイングを多角的に確認することができる。
【００２６】
更に、インターネット回線３０を介してサーバ装置１０に動画ファイル１を保存するので、極めてシンプルな構成で、複数のゴルフ練習場Ｐやゴルフ場で撮影した多数のユーザーの動画ファイル１をまとめて管理することが可能になる。
【００２７】
このように本発明によると、一般のゴルフプレーヤーを対象ユーザーとし、ユーザー自身のゴルフスイング動画を広告媒体として使用することで、ユーザーに適した広告を確実に配信することができるなどといった当初の目的を達成した。
【図面の簡単な説明】
【００２８】
【図１】本発明広告配信方法を示す工程図である。
【図２】本発明の合成ファイルを示す概略図である。
【図３】本発明広告配信システムの一実施例を示す概略図である。
【図４】本発明のスイング動画を記録するカメラの位置を示す斜視図である。
【発明を実施するための形態】
【００２９】
本発明広告配信方法は、一般ゴルファーを広告配信の対象ユーザーとするもので、ユーザーのゴルフスイングの動画を広告媒体として使用する広告配信方法である。
【００３０】
本発明広告配信方法は、動画ファイル保存工程１００、広告ファイル保存工程２００、合成ファイル変換工程３００、合成ファイル送信工程４００を備えている(図１参照)。
【００３１】
動画ファイル保存工程１００は、ユーザーのゴルフスイングを撮影した動画ファイル１をサーバ装置１０に保存する工程である。この動画ファイル１のゴルフスイングの動画は、複数の方向から撮影した複数の動画を記録する。図示例では、ユーザーの正面と側面との二方向から撮影した動画を使用している(図２参照)。
【００３２】
また、動画ファイル１の動画として、標準スピードの標準再生動画と、スローモーションで再生するスロー再生動画とを保存することも可能である。図示例では、正面から撮影した動画に対して標準再生動画とスロー再生動画とを保存し、側面から撮影した動画に対しても標準再生動画とスロー再生動画とを保存する(図２参照)。このように一つの動画に対して標準再生動画とスロー再生動画とを保存することで、ユーザーは詳細なデータに基づいた動作の確認が可能になる。
【００３３】
広告ファイル保存工程２００は、サーバ装置１０に予め宣伝用の広告動画又は広告画像を広告ファイル２として保存する工程である(図３参照)。この工程では、広告主から提供された広告動画又は広告画像が広告ファイル２に保存される。広告ファイル２の広告動画や広告画像は、対象ユーザーであるゴルフプレーヤーに適した内容が選択されている。
【００３４】
合成ファイル変換工程３００は、サーバ装置１０に保存された動画ファイル１の動画に広告ファイル２の動画又は画像を合成して合成ファイル３に変換する工程である(図３参照)。この工程で、動画ファイル１の複数のゴルフスイングの各動画と、広告ファイル２の動画又は画像とが交互に再生されるように合成ファイル３を合成すると、合成ファイル３を一度再生する毎に、広告ファイル２を複数回再生することができる(図２参照)。
【００３５】
例えば、ゴルフスイングを複数の方向から撮影した複数の動画ファイル１の前後に広告ファイル２を配したり、動画ファイル１の標準スピードの標準再生動画と、スローモーションで再生するスロー再生動画との前後に、広告ファイル２を配したりすることも可能である。
【００３６】
更に、複数の方向から撮影した動画ファイル１を標準再生動画とスロー再生動画とで保存することで、広告ファイル２の再生回数は更に多くなるものである。このように、各動画の間に広告ファイル２を挿入すると極めて多くの繰り返し効果が得られる。また、一つの合成ファイル３に、複数種類の広告を取り入れることも可能になる。
【００３７】
合成ファイル送信工程４００は、合成ファイル変換工程３００にて合成した合成ファイル３をユーザーの電子端末２０に送信する工程である(図３参照)。この送信工程は、インターネット回線３０を介してユーザーの電子端末２０に合成ファイル３が配信される。そして、この合成ファイル３を再生すると、ユーザー自身のゴルフスイングの動画と共に、宣伝用の動画又は画像も再生されるものである。
【００３８】
本発明における広告配信の課金方式は、ユーザーがインターネット回線３０を介して配された合成ファイル３を表示した際に、広告ファイル２の再生回数に応じて広告主の費用が課金される検索連動型広告などの運用型広告が適している。また、ネット広告における課金方法は多様性があることから、広告ファイル２の内容に応じて課金方式を任意に設定できるものとする。
【００３９】
次に、本発明システムについて説明する。本発明システムの基本構成は、サーバ装置１０、電子端末２０、インターネット回線３０、カメラ４０を備えたシステムである(図３参照)。
【００４０】
サーバ装置１０は、カメラ４０にて撮影したユーザーのスイング動画を記録した動画ファイル１と、宣伝用の動画又は画像を記録した広告ファイル２とを保存する装置である。
【００４１】
この動画ファイル１は、ゴルフ練習場Ｐやゴルフ場に備えられた複数のカメラ４０にて複数の方向から撮影したゴルフスイング動画が記録されている(図４参照)。そして、インターネット回線３０を介してこの動画ファイル１をサーバ装置１０に保存するように構成している(図３参照)。
【００４２】
このサーバ装置１０には、動画合成手段１０Ａと合成ファイル送信手段１０Ｂとが備えられている。動画合成手段１０Ａは、動画ファイル１の動画に広告ファイル２の動画又は画像を合成して合成ファイル３に保存する手段である。図示の動画合成手段１０Ａは、データ保存部１１とデータ処理部１２とを有し、データ保存部１１に、動画ファイル１と広告ファイル２とを保存する。このとき、動画ファイル１には、ユーザーの識別コードや各ユーザーの電子端末２０に送信する送信アドレスなどの属性が同時に保存される。
【００４３】
そして、データ処理部１２により、動画ファイル１と広告ファイル２とが合成され、合成ファイル３が送信部１３に保存される(図３参照)。合成ファイル送信手段１０Ｂは、インターネット回線３０を介し、この送信部１３から電子端末２０に送信する手段である。
【００４４】
そして、ユーザーの電子端末２０に送信された合成ファイル３を再生すると、自身のゴルフスイングの動画と共に、宣伝用の動画又は画像も再生される。このとき、合成ファイル３は、例えば、ＡＳＰ（アフィリエイト・サービス・プロバイダ）を利用して配信することができる。
【００４５】
すなわち、広告主は、このＡＳＰを仲介にして、ウェブサイトでの広告掲載を依頼し、ユーザーの電子端末２０に配信された合成ファイル３の広告ファイル２が再生されるごとに、その回数に応じて広告料を支払うシステムの利用が可能になる。尤も、ネット広告における課金方法は多様性があるので、広告ファイル２の内容に応じて課金方式を任意に設定できる。
【００４６】
尚、本発明の各構成は図示例に限定されるものではなく、本発明の要旨を変更しない範囲で任意に変更することが可能である。
【符号の説明】
【００４７】
Ｐ  ゴルフ練習場
１  動画ファイル
２  広告ファイル
３  合成ファイル
１０  サーバ装置
１０Ａ  動画合成手段
１０Ｂ  合成ファイル送信手段
１１  データ保存部
１２  データ処理部
１３  送信部
２０  電子端末
３０  インターネット回線
４０  カメラ
１００  動画ファイル保存工程
２００  広告ファイル保存工程
３００  合成ファイル変換工程
４００  合成ファイル送信工程
【図１】
2019087121.tif 000003
【図２】
2019087121.tif 000004
【図３】
2019087121.tif 000005
【図４】
2019087121.tif 000006
【手続補正書】
【提出日】平成30年3月28日(2018.3.28)
【手続補正１】
【補正対象書類名】特許請求の範囲
【補正対象項目名】請求項１
【補正方法】変更
【補正の内容】
【請求項１】
ゴルフスイングの動画を広告媒体として使用し、サーバ装置が実行するユーザーのゴルフスイングを撮影した動画ファイルをサーバ装置に保存する動画ファイル保存工程と、
該サーバ装置に予め宣伝用の動画又は画像を広告ファイルとして保存しておく広告ファイル保存工程と、
サーバ装置に保存された動画ファイルの動画に広告ファイルの動画又は画像を合成して合成ファイルに変換する合成ファイル変換工程と、
合成ファイルをユーザーの電子端末に送信する合成ファイル送信工程と、を有し、
ユーザーが電子端末で合成ファイルを再生すると、ユーザーのゴルフスイングの動画と共に、宣伝用の動画又は画像も再生される広告配信方法であって、前記合成ファイルは前記動画ファイルのユーザー自身の再生動画の前後に前記広告ファイルの動画又は画像が再生されるように合成することを特徴とする広告配信方法。
【手続補正２】
【補正対象書類名】特許請求の範囲
【補正対象項目名】請求項４
【補正方法】変更
【補正の内容】
【請求項４】
ゴルフスイングの動画を広告媒体として使用する広告配信システムであって、カメラで撮影したユーザーのスイング動画を記録した動画ファイルと、宣伝用の動画又は画像を記録した広告ファイルとを保存するサーバ装置を備え、
該サーバ装置は、動画ファイルの動画に広告ファイルの動画又は画像を合成して合成ファイルに保存する動画合成手段と、該動画合成手段にて合成された合成ファイルをユーザーの電子端末に送信する合成ファイル送信手段とを備え、
ユーザーが電子端末で合成ファイルを再生すると、ユーザーのゴルフスイングの動画と共に、宣伝用の動画又は画像も再生されるように構成し、
前記合成ファイルにおいて、前記動画ファイルのユーザー自身の再生動画の前後に前記広告ファイルの動画又は画像が再生されるように構成したことを特徴とする広告配信システム。
【手続補正４】
【補正対象書類名】明細書
【補正対象項目名】０００１
【補正方法】変更
【補正の内容】
【０００１】
本発明は、一般のゴルフプレーヤーのスイング動画等を広告に利用することで、極めて効率の良い広告配信が可能になる広告配信方法及び広告配信システムに関する。
【手続補正５】
【補正対象書類名】明細書
【補正対象項目名】００１２
【補正方法】変更
【補正の内容】
【００１２】
当発明者は、ゴルフプレーヤーが自身の動画や画像を何度も再生することに注目したもので、広告対象のユーザーをゴルフプレーヤーとし、このユーザーが再生するユーザー自身のゴルフスイングの動画等を広告媒体として使用することにより、ゴルフプレーヤーに関する広告を効率良く配信することが可能になる広告配信方法及び広告配信システムの提供を目的とするものである。
【手続補正６】
【補正対象書類名】明細書
【補正対象項目名】００１３
【補正方法】変更
【補正の内容】
【００１３】
上述の目的を達成すべく本発明における第１の手段は、ゴルフスイングの動画を広告媒体として使用し、サーバ装置１０が実行するユーザーのゴルフスイングを撮影した動画ファイル１をサーバ装置１０に保存する動画ファイル保存工程１００と、該サーバ装置１０に予め宣伝用の動画又は画像を広告ファイル２として保存しておく広告ファイル保存工程２００と、サーバ装置１０に保存された動画ファイル１の動画に広告ファイル２の動画又は画像を合成して合成ファイル３に変換する合成ファイル変換工程３００と、合成ファイル３をユーザーの電子端末２０に送信する合成ファイル送信工程４００と、を有し、ユーザーが電子端末２０で合成ファイル３を再生すると、ユーザーのゴルフスイングの動画と共に、宣伝用の動画又は画像も再生される広告配信方法であって、前記動画ファイル１のユーザー自身の再生動画の前後に前記広告ファイル２の動画又は画像が再生されるように合成する広告配信方法にある。
【手続補正７】
【補正対象書類名】明細書
【補正対象項目名】００１６
【補正方法】変更
【補正の内容】
【００１６】
第４の手段は、ゴルフスイングの動画を広告媒体として使用する広告配信システムであって、カメラ４０で撮影したユーザーのスイング動画を記録した動画ファイル１と、宣伝用の動画又は画像を記録した広告ファイル２とを保存するサーバ装置１０を備え、該サーバ装置１０は、動画ファイル１の動画に広告ファイル２の動画又は画像を合成して合成ファイル３に保存する動画合成手段１０Ａと、該動画合成手段１０Ａにて合成された合成ファイル３をユーザーの電子端末２０に送信する合成ファイル送信手段１０Ｂとを備え、ユーザーが電子端末２０で合成ファイル３を再生すると、ユーザーのゴルフスイングの動画と共に、宣伝用の動画又は画像も再生されるように構成し、前記合成ファイル３において、前記動画ファイル１のユーザー自身の再生動画の前後に前記広告ファイル２の動画又は画像が再生されるように構成した広告配信システムにある。
【手続補正８】
【補正対象書類名】明細書
【補正対象項目名】００１８
【補正方法】変更
【補正の内容】
【００１８】
本発明の請求項１のように、ユーザーが電子端末２０で合成ファイル３を再生すると、動画ファイル１のユーザー自身の再生動画の前後に広告ファイル２の動画又は画像が再生されるように合成しているので、ユーザー自身のゴルフスイングの動画と共に、宣伝用の動画又は画像も再生されるので、ユーザーに関する広告を確実に配信することができる。
【手続補正９】
【補正対象書類名】明細書
【補正対象項目名】００２３
【補正方法】変更
【補正の内容】
【００２３】
請求項４のように、動画ファイル１と広告ファイル２とを保存するサーバ装置１０を備え、該サーバ装置１０に動画ファイル１と広告ファイル２とを合成して合成ファイル３に保存する動画合成手段１０Ａを構成し、動画ファイル１のユーザー自身の再生動画の前後に前記広告ファイル２の動画又は画像が再生されるように構成しているので、合成ファイル３の再生時に、ユーザー自身のゴルフスイングの動画と共に、広告用の動画又は画像も再生される。この結果、ユーザーに適した広告を確実に配信することができるものである。
【手続補正書】
【提出日】平成30年7月19日(2018.7.19)
【手続補正１】
【補正対象書類名】特許請求の範囲
【補正対象項目名】全文
【補正方法】変更
【補正の内容】
【特許請求の範囲】
【請求項１】
ゴルフスイングの動画を広告媒体として使用し、サーバ装置が実行する広告配信方法であって、
ユーザーのゴルフスイングを複数の方向から撮影した動画ファイルを標準再生動画とスロー再生動画としてサーバ装置に保存する動画ファイル保存工程と、
該サーバ装置に予め宣伝用の動画又は画像を広告ファイルとして保存しておく広告ファイル保存工程と、
サーバ装置に保存された動画ファイルの複数のゴルフスイングの各動画と、広告ファイルの動画又は画像とが交互に再生されるように合成して合成ファイルに変換する合成ファイル変換工程と、
合成ファイルをユーザーの電子端末に送信する合成ファイル送信工程と、を有し、
前記合成ファイルはユーザーの複数の再生動画の前後に前記広告ファイルの動画又は画像が再生されるように合成することを特徴とする広告配信方法。
【請求項２】
ゴルフスイングの動画を広告媒体として使用する広告配信システムであって、カメラで撮影したユーザーのスイング動画を記録した動画ファイルと、宣伝用の動画又は画像を記録した広告ファイルとを保存するサーバ装置を備え、
該サーバ装置は、動画ファイルの動画に広告ファイルの動画又は画像を合成して合成ファイルに保存する動画合成手段と、該動画合成手段にて合成された合成ファイルをユーザーの電子端末に送信する合成ファイル送信手段とを備え、
前記動画ファイルは、ゴルフ練習場又はゴルフ場に備えられた複数のカメラにて複数の方向から撮影したゴルフスイング動画が標準再生動画とスロー再生動画として記録され、インターネット回線を介して前記サーバ装置に送信され、
ユーザーが電子端末で合成ファイルを再生すると、前記動画ファイルのユーザー自身の複数の再生動画の前後に前記広告ファイルの動画又は画像が再生されるように構成したことを特徴とする広告配信システム。
【手続補正２】
【補正対象書類名】明細書
【補正対象項目名】００１３
【補正方法】変更
【補正の内容】
【００１３】
上述の目的を達成すべく本発明における第１の手段は、ゴルフスイングの動画を広告媒体として使用し、サーバ装置１０が実行する広告配信方法であって、
ユーザーのゴルフスイングを複数の方向から撮影した動画ファイル１を標準再生動画とスロー再生動画としてサーバ装置に保存する動画ファイル保存工程１００と、
該サーバ装置１０に予め宣伝用の動画又は画像を広告ファイルとして保存しておく広告ファイル保存工程２００と、
サーバ装置１０に保存された動画ファイル１の複数のゴルフスイングの各動画と、広告ファイル２の動画又は画像とが交互に再生されるように合成して合成ファイル３に変換する合成ファイル変換工程３００と、
合成ファイル３をユーザーの電子端末２０に送信する合成ファイル送信工程４００と、を有し、
前記合成ファイル３はユーザーの複数の再生動画の前後に前記広告ファイル２の動画又は画像が再生されるように合成する広告配信方法にある。
【手続補正３】
【補正対象書類名】明細書
【補正対象項目名】００１４
【補正方法】削除
【補正の内容】
【手続補正４】
【補正対象書類名】明細書
【補正対象項目名】００１５
【補正方法】削除
【補正の内容】
【手続補正５】
【補正対象書類名】明細書
【補正対象項目名】００１６
【補正方法】変更
【補正の内容】
【００１６】
第２の手段は、ゴルフスイングの動画を広告媒体として使用する広告配信システムであって、カメラ４０で撮影したユーザーのスイング動画を記録した動画ファイル１と、宣伝用の動画又は画像を記録した広告ファイル２とを保存するサーバ装置１０を備え、
該サーバ装置１０は、動画ファイル１の動画に広告ファイル２の動画又は画像を合成して合成ファイル３に保存する動画合成手段１０Ａと、該動画合成手段１０Ａにて合成された合成ファイル３をユーザーの電子端末２０に送信する合成ファイル送信手段１０Ｂとを備え、
前記動画ファイル１は、ゴルフ練習場又はゴルフ場に備えられた複数のカメラ４０にて複数の方向から撮影したゴルフスイング動画が標準再生動画とスロー再生動画として記録され、インターネット回線３０を介して前記サーバ装置１０に送信され、
ユーザーが電子端末２０で合成ファイル３を再生すると、前記動画ファイル１のユーザーの複数のゴルフスイングの再生動画の前後に前記広告ファイル２の動画又は画像が再生されるように構成した広告配信システムにある。
【手続補正６】
【補正対象書類名】明細書
【補正対象項目名】００１７
【補正方法】削除
【補正の内容】
【手続補正７】
【補正対象書類名】明細書
【補正対象項目名】００２０
【補正方法】変更
【補正の内容】
【００２０】
動画ファイル１のゴルフスイングの動画は、複数の方向から撮影した複数の動画が記録され、合成ファイル３は、動画ファイル１の複数のゴルフスイングの各動画と、広告ファイル２の動画又は画像とが交互に再生されるように合成しているので、ユーザーが合成ファイル３を再生するたびに、動画ファイル１の複数のゴルフスイングの再生に伴って広告の再生回数が増加することになる。この結果、一つの合成ファイル３の再生で、広告が何度も再生されるので、繰り返し効果による有効な広告が可能になる。
【手続補正８】
【補正対象書類名】明細書
【補正対象項目名】００２１
【補正方法】変更
【補正の内容】
【００２１】
動画ファイル１のゴルフスイングの動画は、標準スピードの標準再生動画と、スローモーションで再生するスロー再生動画とが保存され、合成ファイル３において、動画ファイル１の各再生動画の前後に広告ファイル２の動画又は画像が再生されるように合成することで、ユーザーが標準再生動画とスロー再生動画とを再生するごとに、広告の再生回数が増加することになる。
【手続補正９】
【補正対象書類名】明細書
【補正対象項目名】００２３
【補正方法】変更
【補正の内容】
【００２３】
請求項２のように、前記動画ファイル１は、ゴルフ練習場又はゴルフ場に備えられた複数のカメラ４０にて複数の方向から撮影したゴルフスイング動画が標準再生動画とスロー再生動画として記録され、インターネット回線３０を介して前記サーバ装置１０に送信され、ユーザーが電子端末２０で合成ファイル３を再生すると、前記動画ファイル１のユーザーの複数の再生動画の各動画の前後に前記広告ファイル２の動画又は画像が再生されるように構成しているので、合成ファイル３の再生時に、ユーザー自身のゴルフスイングの動画と共に、広告用の動画又は画像も再生される。この結果、ユーザーに適した広告を確実に配信することができるものである。
【手続補正１０】
【補正対象書類名】明細書
【補正対象項目名】００２５
【補正方法】変更
【補正の内容】
【００２５】
動画ファイル１は、ゴルフ練習場Ｐ又はゴルフ場に備えられた複数のカメラにて複数の方向から撮影したゴルフスイング動画が記録されるので、ユーザーは、この動画ファイル１の映像により、ゴルフ練習場Ｐ又はゴルフ場でのスイングを多角的に確認することができる。